(57)【特許請求の範囲】
【請求項１】
携帯端末であって、
−該携帯端末とインターネットの間のインターネット・データ伝送をサポートする接続手段と、
−インターネットからインターネット・データをフェッチするブラウザ手段と、−ユーザ入力を受信する入力手段と、
−前記検索されたインターネット・データに関連するコマンドスクリプトを上記ユーザ入力に応じて生成する手段と、を有し、
前記コマンドスクリプトは、本携帯端末が家庭用マルチメディア機器に接続されているときに、前記検索されたインターネット・データの少なくとも一部及び／又は他のインターネット・データの前記家庭用マルチメディア機器への伝送を開始させるように処理され得る、ことを特徴とする携帯端末。
【請求項２】
請求項１記載の携帯端末であって、
前記接続手段は、前記携帯機器と携帯電話との間のデータ伝送をサポートする手段を有し、
前記携帯電話は、インターネット・プロバイダ手段からインターネット・データを受信し、この受信したインターネット・データを本携帯端末に送信する能力を有する、ことを特徴とする携帯端末。
【請求項３】
請求項１又は２記載の携帯端末であって、
前記接続手段は、本携帯端末と前記インターネット・プロバイダ手段との間の直接通信用の送受信ユニットを有する、ことを特徴とする携帯端末。
【請求項４】
請求項１乃至３のいずれか一項記載の携帯端末であって、
前記ブラウザ手段は、前記生成手段を含むように構成されることを特徴とする携帯端末。
【請求項５】
請求項１乃至４のいずれか一項記載の携帯端末であって、
前記家庭用マルチメディア機器とのデータ交換を処理するインタフェース手段を更に有することを特徴とする携帯端末。
【請求項６】
請求項５記載の携帯端末であって、
前記インタフェース手段は、前記家庭用マルチメディア機器がマルチメディアホームネットワークの一部であるとき、該マルチメディアホームネットワークとのデータ交換を処理するように構成されることを特徴とする携帯端末。
【請求項７】
請求項１乃至６のいずれか一項記載の携帯端末であって、
前記ブラウザ手段によって検索された前記インターネット・データを格納するストレージ手段を更に有し、
前記格納されたインターネット・データは、本携帯端末が前記家庭用マルチメディア機器に接続されているとき、前記コマンドスクリプトの前記処理に応じて、少なくとも部分的に前記ストレージ手段から前記家庭用マルチメディア機器へ送信され得る、ことを特徴とする携帯端末。
【請求項８】
請求項１乃至７のいずれか一項記載の携帯端末であって、
前記コマンドスクリプトを実行する実行手段を更に有することを特徴とする携帯端末。
【請求項９】
インターネット・データを家庭用マルチメディア機器へ伝送する方法であって、
−携帯端末のブラウザ手段を用いてインターネット上でインターネット・データを検索する工程と、
−ユーザ入力に応じて、前記検索されたインターネット・データに関連するコマンドスクリプトを前記携帯端末の生成手段によって生成する工程と、
−前記インターネット・データ検索後、前記携帯端末が前記家庭用マルチメディア機器に接続されているとき、前記コマンドスクリプトを処理する工程と、を有することを特徴とする方法。
【請求項１０】
請求項９記載の方法であって、
前記コマンドスクリプトを処理する工程は、前記検索されたインターネット・データの少なくとも一部及び／又は前記他のインターネット・データをインターネットから前記家庭用マルチメディア機器へダウンロードする工程を有することを特徴とする方法。
【請求項１１】
請求項９又は１０記載の方法であって、
前記検索されたインターネット・データ及び／又は前記他のインターネット・データは、少なくとも部分的には前記携帯端末のストレージ手段へダウンロードされ、
前記コマンドスクリプトを処理する工程は、前記検索されたインターネット・データ及び／又は前記他のインターネット・データの少なくとも一部を前記ストレージ手段から前記家庭用マルチメディア機器へ伝送する工程を有する、ことを特徴とする方法。
【請求項１２】
請求項９乃至１１のいずれか一項記載の方法であって、
前記コマンドスクリプトを処理する工程は、前記家庭用マルチメディア機器をプログラミングする工程を有する、ことを特徴とする方法。
【請求項１３】
請求項１２記載の方法であって、
前記プログラミング工程は、前記家庭用マルチメディア機器を所定時刻にあるアクションを実行するようにプログラムするように構成される、ことを特徴とする方法。
【請求項１４】
請求項９乃至１３のいずれか一項記載の方法であって、
前記コマンドスクリプトを処理する工程は、前記携帯端末又は前記家庭用マルチメディア機器に含まれる実行手段によって実行される、ことを特徴とする方法。
【請求項１５】
請求項１４記載の方法であって、
前記コマンドスクリプトを処理する工程は、前記携帯端末を前記家庭用マルチメディア機器へ接続した後に前記実行手段によって自動的に実行される、ことを特徴とする方法。
【請求項１６】
請求項９乃至１５のいずれか一項記載の方法であって、
前記コマンドスクリプトは、前記インターネットでのインターネット・データの検索が続いている間に生成される、ことを特徴とする方法。
【発明の詳細な説明】
【０００１】
本発明は、ネットワーク、特にＷｏｒｌｄ  Ｗｉｄｅ  Ｗｅｂ（インターネット）とデータ交換する手段を有する携帯端末（ｈａｎｄ−ｈｅｌｄ  ｄｅｖｉｃｅ）、及び、該携帯端末を使う方法に関する。
【０００２】
（発明の背景）
例えば携帯電話やパーム・パイロット（Ｒ）などのインターネット・サーフィンする能力を備えた携帯端末が存在する。インターネット・サーフィン能力は、携帯端末のメモリに実行可能なコードとして格納されたいわゆるブラウザ手段によって提供される。その情報は、ワイヤレス接続又は無線接続によって、インターネット・サーバと携帯端末との間で伝送されることが好ましい。
【０００３】
携帯端末を用いると、ユーザは、１日２４時間、ほぼあらゆる場所でインターネットから情報を受信することができる。携帯端末を用いてインターネットをサーフィンしている間、ユーザは、例えば、.ビデオ・レコーダ用のシステム・アップデートやオーディオ／ビデオ・データなどの家庭用マルチメディア機器で利用可能な情報のソースとなり得る様々なインターネット・ページ若しくはロケーションを訪れる。よって、携帯端末を用いてインターネットをサーフィンしているユーザは、個別の家庭用マルチメディア機器を用いて後でその情報を使うことを望む場合もある。
【０００４】
（発明）
本発明の目的は、携帯端末、及び、該携帯端末のユーザが家庭用マルチメディア機器用のインターネット・データをより快適且つより節約された時間で使用できるようにする機会を提供する該携帯端末の使用方法、を開示することである。
【０００５】
本発明の一態様によれば、携帯端末であって、
−該携帯端末とインターネットの間のインターネット・データ伝送をサポートする接続手段と、
−インターネットからインターネット・データをフェッチ（ｆｅｔｃｈ）するブラウザ手段と、
−ユーザ入力を受信する入力手段と、
−上記検索されたインターネット・データに関連するコマンドスクリプトを上記ユーザ入力に応じて生成する手段と、を有し、
上記コマンドスクリプトは、本携帯端末が家庭用マルチメディア機器に接続されているときに、上記検索されたインターネット・データの少なくとも一部及び／又は他のインターネット・データの上記家庭用マルチメディア機器への伝送を開始させるように処理され得る、ことを特徴とする携帯端末が提供される。
【０００６】
本発明の別の態様によれば、インターネット・データを家庭用マルチメディア機器へ伝送する方法であって、
−携帯端末のブラウザ手段を用いてインターネット上でインターネット・データを検索する工程と、
−ユーザ入力に応じて、上記検索されたインターネット・データに関連するコマンドスクリプトを上記携帯端末の生成手段によって生成する工程と、
−上記インターネット・データ検索後、上記携帯端末が上記家庭用マルチメディア機器に接続されているとき、上記コマンドスクリプトを処理する工程と、を有することを特徴とする方法が提供される。
【０００７】
本発明は、該携帯端末にインストールされたブラウザを用いて、「ネット・サーフィン」と呼ばれるインターネットからデータ／情報をフェッチし、フェッチされたデータ／情報に関するコマンドスクリプトを生成し、後に、該携帯端末が家庭用マルチメディア機器に接続されているときに、上記コマンドスクリプトを利用する、という基礎的なアイデアを有する。このコマンドスクリプトは、実行可能なコードである。この携帯端末は、ワイヤレス接続によって家庭用マルチメディア機器と接続されてもよい。
【０００８】
これは、携帯端末のユーザに、いつでもインターネット・サーフィンをし、そして、家庭用マルチメディア機器の機能性を最適化するためにネット・サーフィンの間に集めた情報を用いる機会を与える。この家庭用マルチメディア機器は、ホームネットワークの一部であってもよい。
【０００９】
検索されたインターネット・データを携帯端末上に格納する必要がないため、携帯端末のストレージ手段は最小限のものでよい。検索されたインターネット・データの格納は、後に携帯端末が家庭用マルチメディア機器と接続されたときに行われてもよい。
【００１０】
独立項に基づく本発明の有益的な特徴は、関連する従属項において開示されている。
【００１１】
（実施形態）
本発明の例示的実施形態は、以下の図面を参照した説明においてより詳細に説明される。
【００１２】
図１を参照する。携帯／ポータブル端末１は、情報をグラフィカルに出力するディスプレイ２と、キーボード３と、を有する。別の実施形態（図示せず）において、携帯端末１は、キーボード３の代わりにタッチスクリーンを持っていてもよい。
【００１３】
携帯端末１は、インターネットとも呼ばれるＷｏｒｌｄ  Ｗｉｄｅ  Ｗｅｂのサーバ４と接続されるように構成される。インターネット・サーバ４からインターネット・データをフェッチするブラウザが、携帯端末１にインストールされている。携帯端末は、インターネット・サーバ４からダウンロードされたインターネット・データを格納するためのメモリを有する。
【００１４】
インテリジェント・インタフェース・ユニットを用いて、携帯端末１は、マルチメディアホームネットワーク６の中央サーバ５と接続され得る。携帯端末１は、中央サーバ５に直接的に接続されてもよく、或いは、ドッキング・ステーション（図示せず）を用いて接続されてもよい。中央サーバ５は、例えば、オーディオ・ユニット７、テレビ８、セットトップ・ボックス９、ゲーム・ユニット１０、ＭＰ３プレーヤー１１、携帯電話１２、及びカメラ１３などの複数の家庭用マルチメディア機器に接続されている。中央サーバ５は、マルチメディアホームネットワーク６の複数の家庭用マルチメディア機器によって共通して使われる中央メモリ及び／又は中央制御ユニットを有し得る。しかし、データ交換については、携帯端末１を１以上の家庭用マルチメディア機器に直接的に接続することも可能である。インテリジェント・インタフェース・ユニット又はドッキング・ステーションを、携帯端末１を中央サーバ５又は１以上の家庭用マルチメディア機器と接続するように構成することが可能である。
【００１５】
家庭用マルチメディア機器に適切な複数のリソースは、インターネット・サーバ４から利用可能となり得る。例えば、ソフトウェア・アップデート、オペレーティング・システム、インターネット・サーバ４からフェッチ可能なMP３ファイルなどのオーディオファイル、などがあり得る。携帯端末１は、限られたメモリスペースしか有しない。よって、インターネット・サーバ４から携帯端末１のメモリにインターネット・データをダウンロードせずに、キーボード３によるユーザの入力に応じたコマンドスクリプトが、携帯端末１上で生成される。このコマンドスクリプトは、インターネット・サーバ４から中央サーバ５及び／又は１以上の家庭用マルチメディア機器のメモリにインターネット・データをダウンロードするように処理され得る。このコマンドスクリプトの処理は、携帯端末１、中央サーバ５、又は家庭用マルチメディア機器の一にインストールされた実行中の機械（例えば、ソフトウェア・コード）によって開始される。いずれの場合においても、この実行中の機械は、コマンドスクリプトを、マルチメディアホームネットワーク６によってサポートされたプロトコル（例えば、ＩＥＥＥ１３９４；下記参照）に変換しなければならない。
【００１６】
インテリジェント・インタフェース・ユニット又はドッキングユニットは、マルチメディアホームネットワーク６において用いられるバス・プロトコルをサポートしていなければならない。このホームネットワークのバス・プロトコルは、例えば、ＩＥＥＥ１３９４上のインターネット・プロトコル（ＩＰ）、及び、Ｔｒａｎｓｍｉｓｓｉｏｎ  Ｃｏｎｔｒｏｌ  Ｐｒｏｔｏｃｏｌ（ＴＣＰ）、Ｕｓｅｒ  Ｄａｔａｇｒａｍ  Ｐｒｏｔｏｃｏｌ（ＵＤＰ）、又はＦｉｌｅ  Ｔｒａｎｓｆｅｒ  Ｐｒｏｔｏｃｏｌ（ＦＴＰ）のようなＩＰ内の上位レイヤ（図２参照）である。ＩＰは、データ・パケットにアドレスを付し、データ・パケット・サイズを各ネットワークに対して最適となるように適合させるのに用いられる。加えて、パケットの断片化を行うことも可能である。ＩＰの上のＴＣＰ及びＵＤＰは、トランスポート層として機能する。ＵＤＰは非接続指向であり、ＴＣＰは接続指向である。ＵＤＰ／ＩＰパケットは個々のデータグラムと考えられる。ＵＤＰを用いるアプリケーションは、それら自体が、到着すると予想されるパケットの存在及び順序をチェックする責任を担う。ＴＣＰを用いるアプリケーションは、到着したＩＰパケットの順番のチェックや失ったＩＰパケットの再送などの保証されたトランスポートの利点を享受する。
【００１７】
ＦＴＰの目的は、（ｉ）ファイル（コンピュータ・プログラム及び／又はデータ）の共有の促進すること、（ｉｉ）遠隔コンピュータの（プログラムを通じた）間接的な又は暗黙的な使用を奨励すること、（ｉｉｉ）ホスト間のファイル・ストレージ・システムの差からユーザを保護すること、及び、（ｉｖ）データを確実且つ効率的に転送すること、である。ＦＴＰは、端末においてユーザが色説的に使用可能であるが、プログラムによる使用を主として設計される。
【００１８】
以下に、コマンドスクリプトに使われ得るコマンドの例をいくつか挙げる。これらのコマンドは、ローカルのストレージ手段上の例えば「ｈｔｔｐ：／／ｗｗｗ．ｘｙｚ／ｍｏｖｉｅ．ｍｐｇ」などのインターネット・リンク、又はファイルに関連付けられる。これらのコマンドは、それらの各機能に従って例示的に名前が付けられている。
【００１９】
１）家でダウンロード；宛先：ｘｘｘ
「ｘｘｘ」は、中央サーバ５（図１参照）でもよい。このコマンドが用いられると、携帯端末１がマルチメディアホームネットワーク６に接続されているときに、インターネット・ファイルのダウンロードが実行される。インターネット・リンクが、例えば、テレビ８用のオペレーティング・システムのアップデートを導き、「ｘｘｘ」がテレビ８のハードウェア専用の実行チャネルを示す場合、携帯端末１がマルチメディアホームネットワーク６に接続されているときに、該オペレーティング・システムのアップデートのダウンロードが自動的に行われる。
【００２０】
２）直ちにダウンロード
このコマンドは、本分野では既知のブラウザによって提供されるような機能を有する。インターネット・ファイルは、携帯端末１のメモリスペースに格納される。その後、このインターネット・ファイルを携帯端末１のメモリスペースからマルチメディアホームネットワーク６へコピー／移動すること（次の段落参照）が可能となる。
【００２１】
３）家での格納；宛先：ｘｘｘ’、又はマルチメディアホームネットワーク６にほぼ同期させる
このコマンドを用いると、携帯端末１がマルチメディアホームネットワーク６に接続されているとき、選択されたファイルが携帯端末１のメモリスペースからマルチメディアホームネットワーク６へ移動／コピーされる。
【００２２】
別の方法として、携帯端末１がマルチメディアホームネットワーク６に接続されているとき、フェッチされたすべてのデータ・ファイルが、携帯端末１のユーザに全ての新しいデータ・ファイルの目的地を尋ねることによって、マルチメディアホームネットワーク６との同期が取られる又は更新される。
【００２３】
４）ある時刻＜ｔｉｍｅ＞にあるチャネル（インターネット・チャネル、ＴＶチャネル、又はラジオ・チャネル）で映画、ラジオ番組、インターネット・チャット、又はインターネット会議の放送を見る／聴く
このコマンドの場合、携帯端末は、そのカレンダーを更新する。考えられるシナリオは３つある。
【００２４】
ｉ）携帯端末１が、時刻＜ｔｉｍｅ＞に、マルチメディアホームネットワーク６に接続されている。この場合、マルチメディアホームネットワークのリマインダは、時刻＜ｔｉｍｅ＞に、その映画又はラジオ番組を「生で（ライブで）」見る／聴くか、或いは記録するかの確認を求める。
【００２５】
ｉｉ）携帯端末１が、時刻＜ｔｉｍｅ＞前にマルチメディアホームネットワーク６に接続されており、時刻＜ｔｉｍｅ＞前に接続が外されようとしている。
この場合、接続が外される前に、携帯端末１は、コマンドスクリプトにおいて識別された映画又はラジオ番組を記録することを求める。
【００２６】
ｉｉｉ）時刻＜ｔｉｍｅ＞前の任意の時刻において、携帯端末１がマルチメディアホームネットワーク６に接続されていない。この場合、携帯端末１は、携帯端末１とコマンドスクリプトにおいて識別されたインターネット・リンクとの間で時刻＜ｔｉｍｅ＞に接続が確立されるべきであるか否かを尋ねるか（インターネット・イベントに制限される）、或いは、遠隔アクセスによってマルチメディアホームネットワーク６における記録を開始すべきか否か、すなわち携帯端末１がマルチメディアホームネットワーク６とのデータ交換によって記録を開始させるべきであるか否か、を尋ねる。
【００２７】
マルチメディアホームネットワークのリマインダは、例えば、全てのテレビ８がメッセージを表示すること、或いは、全てのオーディオ・ユニット７が音響的注意を与えること、を意味する。
【００２８】
コマンドスクリプトは、例えば、携帯端末１、中央サーバ５、ドッキング・ステーション、又は、マルチメディアホームネットワーク６内の一ユニット上にインストールされた実行中の機械によって順次実行される１以上のコマンドのシーケンスである。コマンドスクリプトは、例えば、以下の例のように見える。
＞＞ｄｏｗｎｌｏａｄ＿ａｔ＿ｈｏｍｅ  −ｄｅｓｔｉｎａｔｉｏｎ：ｖｉｄｅｏ‐ｄｂ／  −ｓｏｕｒｃｅ：
＜ｈｔｔｐ：／／ｗｗｗ．ｘｙｚ／ｍｏｖｉｅ．ｍｐｇ＞
＞＞ｄｏｗｎｌｏａｄ＿ａｔ＿ｈｏｍｅ  −ｄｅｓｔｉｎａｔｉｏｎ：ａｕｄｉｏ−ｄｂ／ｃｌａｓｓｉｃ  −ｓｏｕｒｃｅ：
＜ｈｔｔｐ：／／ｗｗｗ．ｘｙｚ／ｐｒｅｌｕｄｅ．ｍｐ３〉
＞＞ｓｔｏｒｅ＿ａｔ＿ｈｏｍｅ  −ｄｅｓｔｉｎａｔｉｏｎ：ａｕｄｉｏ−ｄｂ／ｒｏｃｋ  −ｓｏｕｒｃｅ：
ｄ：／ｈｉｇｈｗａｙ＿ｔｏ＿ｈｅｌｌ．ｍｐ３
＞＞ｓｅｅ＿ｌｉｓｔｅｎ＿ｂｒｏａｄｃａｓｔ  −ａｔ＜８．３０ｐｍ＞  −ｏｎ＿ｃｈａｎｎｅｌ＜ＢＢＣ＞
＞＞ｓｅｅ＿ｌｉｓｔｅｎ＿ｂｒｏａｄｃａｓｔ  −ａｔ＜２．００ｐｍ＞  −ｏｎ＿ｃｈａｎｎｅｌ
＜ｈｔｔｐ：／／ｗｗｗ．ｃｈａｔ／ｃｏｎｆｅｒｅｎｃｅ．ｈｔｍｌ＞
【図面の簡単な説明】
【図１】  携帯端末及びマルチメディアホームネットワークの配置の表現を示す図である。
【図２】  携帯端末のインタフェース・ユニットによって用いられるプロトコルの一例を示す図である。
【図１】
0004744781.tif 000002
【図２】
0004744781.tif 000003